(57)【要約】      （修正有）【課題】撮影角度が調整しやすく据付が簡単な監視装置を提供する。【解決手段】その上に凹溝３１を設けた台座３と、頸部２１と該凹溝３１上に連結する球体２２を設けた本体２と、該本体２の上に設けられたカメラ１とを含む。該球体２２と該凹溝３１は平滑に適合して該本体２が該カメラ１を回転自在に設定できることにより、より一層理想な撮影角度を実現でき、且つ該監視装置を簡単に各場所に取り付けることができるマウントホルダー４を更に備える。【選択図】図４ａ
0003196633.tif 000002
【実用新案登録請求の範囲】
【請求項１】
凹溝を設けた台座と、頸部を設けた本体と、前記凹溝上に連結する球体と、前記本体の上に設けられたカメラと、を含む監視装置において、前記球体と前記凹溝が適合することで、前記本体が前記カメラを回転自在にさせることができることを特徴とする監視装置。
【請求項２】
前記凹溝の材質は、天然ゴム或いは合成ゴムとすることができることを特徴とする請求項１に記載の監視装置。
【請求項３】
前記台座の底部に固定係止ピンを設けたことを特徴とする請求項１に記載の監視装置。
【請求項４】
前記台座に重心部材を設けたことを特徴とする請求項１に記載の監視装置。
【請求項５】
前記台座は、前記固定係止ピンと対応するマウントホルダーを更に含むことができ、前記マウントホルダーに少なくとも１個の第１結合部を設けたことを特徴とする請求項３に記載の監視装置。
【請求項６】
前記固定係止ピンに前記マウントホルダーの前記少なくとも１個の第１結合部と互いに結合できる少なくとも１個の第２結合部を設けたことを特徴とする請求項５に記載の監視装置。
【請求項７】
前記マウントホルダーの上に少なくとも１個の固定穴を設けたことを特徴とする請求項５に記載の監視装置。
【請求項８】
前記台座に台座磁力部材を設けたことを特徴とする請求項１に記載の監視装置。
【請求項９】
前記本体の構造形状は、ヒョウタン形、鉄アレイ形或いは水滴形とすることができることを特徴とする請求項１に記載の監視装置。
【請求項１０】
前記球体に前記台座磁力部材と対応する本体磁力部材を設けたことを特徴とする請求項８に記載の監視装置。
【請求項１１】
前記カメラは、回転できることを特徴とする請求項１に記載の監視装置。
【請求項１２】
前記少なくとも１個の第１結合部は、前記少なくとも１個の第２結合部と対応して凸状、凹状、歯状、楔状を呈することができることを特徴とする請求項６に記載の監視装置。
【請求項１３】
前記少なくとも１個の第２結合部は、該少なくとも１個の第１結合部と対応して凸状、凹状、歯状、楔状を呈することができることを特徴とする請求項６に記載の監視装置。
【考案の詳細な説明】
【技術分野】
【０００１】
本考案は、監視装置に関し、特に、監視装置の本体が台座上に回転自在に設けられた監視装置に関する。
【背景技術】
【０００２】
監視カメラは、現在人々の生活の各場所に使用され、犯罪証拠の記録或いは家庭内の高齢者又は幼児の安全確保など、いずれも不慮の事故発生を避けるなど公共の安全の増進を目的として設置されている。
【０００３】
従来の監視装置のカメラの設置方式及び設計は、連続したフォースアーム接続又は単体球体関節節の接続回転方式であり、且つその監視カメラ、フォースアーム及び関節の筐体部分の多くが長方体等の稜角を有する。そのため監視カメラの撮影しようとする空間範囲を調整する時、各稜角の部分が障害となって特定角度をスムーズに調整できないため、往々にして更に多くの手間がかかる。特に壁隅角部、天井或いは屋内外の隅角部といった場所の形状に合わせて架設することで、全景を光学受信範囲に納める理想的な撮影角度を実現できるが、この場合据付に必要なステップが煩瑣で、数多くある関節により関節部品の組み立て時間が非常に長くなってしまう。さらに全体的な重量と台座面積が大幅に増加するので、空間上に据付しにくい。
【考案の概要】
【考案が解決しようとする課題】
【０００４】
本考案は、新規の監視装置構造を提供することで、従来の監視カメラでは理想な撮影角度に調整しにくかった問題と据付の煩瑣及び困難という問題とを改善することにある。これらの問題点を解決するため、本考案は、台座と本体とカメラとを含む新規な構成の監視装置を提供する。
【課題を解決するための手段】
【０００５】
本考案の監視装置の台座上には凹溝を設け、その凹面は円弧状を呈し、且つ台座の材質は摩擦力の増加効果を有する天然ゴム或いは合成ゴムで構成する。本考案の監視装置の本体外形はヒョウタン形、鉄アレイ形又は水滴形とし、その中間に頸部を有し、下端は球体に接続し、台座上の凹溝と適合する。該球体及び該台座の内部には互いに吸引する本体磁力部材と台座磁力部材とを設け、その磁力の吸引力の強さによりその接続構造が回転自在並びに固定できる関節を形成できる。その回転自由度は水平面及び自体のいずれも３６０度、垂直面１８０度を回転自在並びに固定することを実現でき、本体上に設けられたカメラも自体を３６０度回転自在並びに固定できる。どの部分についても、いずれも従来の監視カメラ撮影角度の調整能力に比べて明らかに優れ、容易に全景を光学受信範囲に納める理想な撮影角度を実現できる。本考案の監視装置の各部材はいずれも平滑な外形とし、従来監視カメラ部材外形の稜角部分が理想な撮影角度の調整を難しくしていた問題を解決した。
【０００６】
本考案の監視装置の台座の中には重心部材を更に設け、監視装置本体と監視装置のカメラとの重心バランスを安定させ、且つ本体がカメラを回転させてることにより発生する重心の偏りに耐え、監視装置が転倒してカメラに衝突することによる損傷の発生を防止する。監視装置のカメラの電子部品は、磁力干渉を受けて障害を起こすか或いは損傷するが、本考案の監視装置本体内の頸部は、カメラと本体内部の磁力部材及び台座内部の磁力部材からいかなる角度においてもカメラの電子部品から一定距離を保持するので、磁力がカメラの電子部品に与える影響は防止される。
【０００７】
本考案の監視装置を壁面、天井或いは何らかの物体表面に安定に設置するために、本考案の監視装置の台座はマウントホルダーを更に含む。この台座の底部には固定係止ピンを設け、この固定係止ピンの上に少なくとも１個の第２結合部を設ける。マウントホルダー上に少なくとも１個の第１結合部と少なくとも１個の固定穴を設け、少なくとも１個の第２結合部の外形は、少なくとも１個の第１結合部に対応して凸状に対応する凹状或いは歯状に対応する楔状の構造を呈する。少なくとも１個の固定穴は、利用者がねじ等の容易に取得する締結部材を通じて簡単にいかなる場所に取り付けることができる。取り付けを終えた後、利用者は固定係止ピン上の少なくとも１個の第２結合部とマウントホルダー上の少なくとも１個の第１結合部とを互いに結合させる。このように本考案によれば非常に便利で且つ簡単な取り付け方式を提供できる。台座及びマウントホルダーの面積は比較的小さいため、取り付け位置の所要スペースは大幅に少なくなり、従来に比べて更に多くの監視装置を、撮影需要を有する位置に取り付けることができる。
【０００８】
以下に、本考案の監視装置の技術的特徴及び実用効果が明細書の内容に基づいて実施できることを十分理解してもらうため、更に図面に示す好ましい実施例に基づき、本考案を詳細に説明する。
【図面の簡単な説明】
【０００９】
【図１】本考案の監視装置の外観正面図である。
【図２】本考案の監視装置の外観左側面図である。
【図３】本考案の監視装置の外観上面図である。
【図４ａ】本考案の監視装置の第１の動作状態を示す模式図である。
【図４ｂ】本考案の監視装置の第２の動作状態を示す模式図である。
【図４ｃ】本考案の監視装置の第３の動作状態を示す模式図である。
【図５ａ】本考案の監視装置本体の外観正面図である。
【図５ｂ】本考案の監視装置の台座の上部立体図である。
【図６ａ】本考案の監視装置の台座の底部立体図である。
【図６ｂ】本考案の監視装置のマウントホルダー立体図である。
【考案を実施するための形態】
【００１０】
図１は本考案の監視装置の外観正面図で、図２が本考案の監視装置の外観左側面図で、図３が本考案の監視装置の外観上面図である。本考案の監視装置の外観は、カメラ１と本体２と頸部２１と球体２２と台座３とを含む。カメラ１は本体２上に設けられ、頸部２１が球体２２に結合してカメラ１を支持し、且つ球体２２が台座３の上に連結する。
【００１１】
図４ａ、図４ｂ及び図４ｃを参照すると、図４ａは本考案の監視装置の第１の動作状態を示す模式図で、図４ｂが監視装置の第２の動作状態を示す模式図で、図４ｃが監視装置の第３の動作状態を示す模式図である。図４ａ、図４ｂ及び図４ｃに示すように、球体２２は台座３上の凹溝３１と適合できる。凹溝３１の材質は、例えばポリイソプレン、シリコーン、ポリシロキサン、ポリブタジエン、スチレンブタジエンゴム、クロロプレンゴム又はニトリルブタジエンゴム等の天然ゴム或いは合成ゴムとすることができ、これにより摩擦力を増加して本体２を自由に回転した後で更にその位置に固定させることができる。球体２２の中に本体磁力部材２３が設けられ、台座３の中に設けられた台座磁力部材３２と互いに磁力で吸引し合って共同で連結関係を有する回動自在の関節構造を形成し、監視装置に極めて高い回転自由度を持たせることができる。本体２の頸部２１は、カメラ１がいかなる角度においても本体磁力部材２３と台座磁力部材３２との距離を一定に保持することで、カメラ１の電子部品が磁力干渉を受けて障害を受けるか或いは損傷することを防止する。
【００１２】
図５ａは本考案の監視装置本体の外観正面図で、図５ｂは本考案の監視装置の台座の上部立体図である。図５ａに示すように、本体２の外観はヒョウタン形又は鉄アレイ形で、且つその構造はその上に設けられたカメラ１自体を回転させることができ、且つ下端は球体２２である。台座３には図５ｂに示すような凹溝３１が設けられており、そこでこの球体２２と接合できる。
【００１３】
図６ａは本考案の監視装置の台座の底部立体図で、図６ｂは本考案の監視装置のマウントホルダー立体図である。図６ａに示すように、台座には固定係止ピン３４を設け、この固定係止ピンの上に３個の第２結合部３４１を設けている。一方図６ｂに示すように、マウントホルダー４には３個の固定穴４１と３個の第１結合部４２とが設けられており、３個の第２結合部３４１がこの３個の第１結合部４２と螺合係止でき、更に３個の固定穴４１を通じてねじ等の締結部材で壁或いは設置しようとする他の物体上に締結することができる。これにより監視装置全体を安定に設置できる。
【符号の説明】
【００１４】
１      カメラ
２      本体
２１    頸部
２２    球体
２３    本体磁力部材
３      台座
３１    凹溝
３２    台座磁力部材
３３    重心部材
３４    固定係止ピン
３４１  第２結合部
４      マウントホルダー
４１    固定穴
４２    第１結合部
【図１】
0003196633.tif 000003
【図２】
0003196633.tif 000004
【図３】
0003196633.tif 000005
【図４ａ】
0003196633.tif 000006
【図４ｂ】
0003196633.tif 000007
【図４ｃ】
0003196633.tif 000008
【図５ａ】
0003196633.tif 000009
【図５ｂ】
0003196633.tif 000010
【図６ａ】
0003196633.tif 000011
【図６ｂ】
0003196633.tif 000012